(57)【特許請求の範囲】
【請求項１】
シャツ下端側が細幅とされた後身頃と、脇部と袖下部から構成される側面パーツと、腕の外側から肩の付け根を覆う袖上パーツと、前身頃とを備えたゴルフシャツであって、
前記後身頃と前記脇部は、肩甲骨近傍からシャツ後面下端中央部にかけて延設された高伸縮性素材からなる伸縮パーツを介して縫合すると共に、
前記袖上パーツと前記後身頃、及び、前記袖上パーツと前記前身頃は、肩甲骨近傍から肩の付け根部を通って胸部脇下近傍にかけて延設された前記伸縮パーツを介して夫々縫合し、さらに、前記袖上パーツと前記袖下部は、肩甲骨近傍又は胸部脇下近傍から袖口の上下方向中央部にかけて夫々延設された前記伸縮パーツを介して縫合したことを特徴とするゴルフシャツ。
【請求項２】
前記側面パーツの脇下部に、前記伸縮パーツをさらに設けたことを特徴とする請求項１に記載のゴルフシャツ。
【請求項３】
前記前身頃は、シャツの上下方向中央部付近が括れた形状とされ、
前記前身頃と前記脇部は、胸部脇下近傍からシャツ前面下端部にかけて、くの字状又は逆くの字状に延設された前記伸縮パーツを介して縫合したことを特徴とする請求項１又は２に記載のゴルフシャツ。
【発明の詳細な説明】
【技術分野】
【０００１】
本発明は、ゴルフのスイング時に、身体を左右に大きくひねったり腕を振り上げる姿勢をとっても、生地の伸縮性不足によるひきつれなどが生じないゴルフシャツに関するものである。
【背景技術】
【０００２】
従来、例えば図４に示すようなゴルフシャツ１００は、後身頃１０１と前身頃１０２の両側部のラインはほぼ平行とされ、左右のアームホールに夫々袖部１０３が縫着されていた。
【０００３】
後身頃１０１、前身頃１０２、袖部１０３は、綿などの天然繊維や、ポリエステル、アクリル、レーヨンなどの合成繊維、あるいはこれらを適宜混紡した繊維が使用され、例えば天竺編み、鹿の子編みなどの編み組織で編成されていた。
【０００４】
また、従来、ポリオレフィン弾性繊維を芯に、短繊維を鞘に配した芯鞘型複合紡績糸を含み、編地のコース方向の定荷重伸長率が５０％以上、回復率が５０％以上、アイロン収縮率が３％以下の伸縮性編地を使用し、身体の曲線にソフトフィットするゴルフシャツも提案されている（例えば、特許文献１）。
【０００５】
ところで、ゴルファーがボールを打球する際には、図５（ａ），（ｂ）に示すように、先ずクラブを握った両腕を身体の前側で下げてアドレスを行った後、バックスイングを行い、図５（ｃ），（ｄ）に示すトップの位置までクラブを振り上げる。その後、上半身を回転させてダウンスイングを行い、図６（ａ），（ｂ）の位置でボールをインパクトし、さらにフォロースルーから図６（ｃ），（ｄ）に示すようなフィニッシュの動作が行われる。
【０００６】
このように、ゴルフにおいては、アドレス、バックスイングからフィニッシュに至るまでの極めて短い時間内に、身体を左右に大きくひねる動作や、腕を上方に大きく振り上げる動作が行われる。
【０００７】
ところが、従来のゴルフシャツ１００は、一定の伸縮性が得られる繊維や編み組織を使用している場合であっても、例えば図７に示すように身体を大きくひねってバックスイングしたトップの状態では、後身頃１０１の伸縮性が不十分となるため、例えば後身頃１０１の左肩部１０４から右腰部１０５にかけて斜め方向にひきつれが生じ、着用者につっぱり感や窮屈さを感じさせるという問題があった。なお、１０６は、後身頃１０１のひきつれの結果、肩、背中からウエストにかけて生じた多数の皺を示している。
【０００８】
また、本発明者らがアドレス、トップ、フィニッシュの各姿勢におけるゴルファーの皮膚の表面積の変化量を分析したところ、例えばフィニッシュの姿勢では、図８（ａ）のＦＲＰボディ２００に示すように、肩甲骨の位置の左右の動きに対応して領域２０１，２０２の面積が広くなり、後身頃１０１の肩甲骨に対応する部分にひきつれが生じること、さらに、図８（ｂ）に示すように、脇下の領域２０３の面積も増大し、袖部１０３の縫着部や脇下の部分につっぱり感が生じることが判明した。
【０００９】
ゴルフはメンタル面も大きく影響するスポーツであるため、例えばアドレス、バックスイングからトップまでの間に、ゴルフシャツの伸縮性不足のために腕の回転が充分でないと感じると、イメージどおりのスイングができずにミスショットを引き起こしたり、飛距離が伸びないことがある。
【００１０】
また、トップからフィニッシュの間においても、ゴルフシャツの伸縮性不足のために圧迫感や窮屈感があると、スイングのスムーズな動きを阻害する要因となる。また、ゴルフシャツのひきつれが常に気になると、集中力が散漫になるおそれがある。
【先行技術文献】
【特許文献】
【００１１】
【特許文献１】特開２００４−２１１２５３号公報
【発明の概要】
【発明が解決しようとする課題】
【００１２】
本発明が解決しようとする問題点は、従来のゴルフシャツは、スイング時に身体を左右に大きくひねったり腕を大きく振り上げた際に、例えば、後身頃に斜め方向にひきつれが生じたり、肩甲骨の左右の動きにより皮膚表面が拡大することによってひきつれが生じたり、脇下の部分につっぱり感が生じていた点である。
【課題を解決するための手段】
【００１３】
本発明のゴルフシャツは、
シャツ下端側が細幅とされた後身頃と、脇部と袖下部から構成される側面パーツと、腕の外側から肩の付け根を覆う袖上パーツと、前身頃とを備えたゴルフシャツであって、
前記後身頃と前記脇部は、肩甲骨近傍からシャツ後面下端中央部にかけて延設された高伸縮性素材からなる伸縮パーツを介して縫合すると共に、
前記袖上パーツと前記後身頃、及び、前記袖上パーツと前記前身頃は、肩甲骨近傍から肩の付け根部を通って胸部脇下近傍にかけて延設された前記伸縮パーツを介して夫々縫合し、さらに、前記袖上パーツと前記袖下部は、肩甲骨近傍又は胸部脇下近傍から袖口の上下方向中央部にかけて夫々延設された前記伸縮パーツを介して縫合したことを最も主要な特徴点としている。
【発明の効果】
【００１４】
本発明によれば、後身頃の肩甲骨に対応する部分を中心に、シャツ後面下端中央部、肩の付け根部、袖口の上下方向中央部の３方向に延びるように伸縮パーツを設けたので、肩甲骨に対応する部分の伸縮性が向上し、周囲に向けて良く伸びるようになる。
【００１５】
よって、本発明のゴルフシャツを着用した場合は、アドレスの姿勢や、身体を左右に大きくひねるトップやフィニッシュの姿勢をとっても、後身頃の特に肩甲骨に対応する部位に生じるひきつれが軽減され、生地のひきつれによるつっぱり感や窮屈さを解消することができる。
【００１６】
また、本発明では、後身頃はシャツ下端側が細幅とされた形状とし、袖上パーツは腕の外側から肩の付け根を覆う形状とし、側面パーツは脇部を備えた形状とすると共に、袖上パーツ／後身頃間と、後身頃／脇部間に、夫々伸縮パーツを設けたので、袖上パーツと後身頃の間の伸縮性と、後身頃と脇部の間の伸縮性が共に向上し、斜め方向に良く伸びるようになる。
【００１７】
よって、本発明のゴルフシャツを着用した場合は、スイング中に身体を左右に大きく捻って腕を振り上げても、後身頃の肩部から要部にかけて生じ易い斜め方向のひきつれは軽減され、生地のひきつれによる圧迫感などを解消することができる。
【図面の簡単な説明】
【００１８】
【図１】本発明の実施例に係るゴルフシャツを背中側から見た説明図である。
【図２】実施例のゴルフシャツを正面側から見た図である。
【図３】実施例のゴルフシャツの効果を説明する図であり、（ａ）は背中側、（ｂ）は正面側の説明図である。
【図４】従来のゴルフシャツの一例を説明する図であり、（ａ）は背中側から見た状態、（ｂ）は正面側から見た状態を示す図である。
【図５】ゴルフスイングの一連の動作中、（ａ），（ｂ）はアドレス、（ｃ），（ｄ）はトップの姿勢を説明する図である。（ａ），（ｃ）はゴルファーの正面の位置から、（ｂ），（ｄ）は打球の進行方向の反対側から見た図である。
【図６】ゴルフスイングの一連の動作中、（ａ），（ｂ）はインパクト、（ｃ），（ｄ）はフィニッシュの姿勢を説明する図である。（ａ），（ｃ）はゴルファーの正面の位置から、（ｂ），（ｄ）は打球の進行方向の反対側から見た図である。
【図７】従来のゴルフシャツを着用してゴルフクラブを握りバックスイングしたトップの状態において、後身頃に生じる斜め方向のひきつれを説明する図である。
【図８】フィニッシュにおいて、（ａ）左右の肩甲骨に対応する領域の皮膚の表面積が大きくなること、（ｂ）脇下に対応する領域の皮膚の表面積が大きくなることを説明する図である。
【発明を実施するための形態】
【００１９】
本発明のゴルフシャツは、スイング中に身体を左右に大きく捻って腕を振り上げた場合でも、ひきつれや窮屈感が生じないシャツを提供するという目的を達成するために、
シャツ下端側が細幅とされた後身頃と、脇部と袖下部から構成される側面パーツと、腕の外側から肩の付け根を覆う袖上パーツと、前身頃とを備えたゴルフシャツであって、
前記後身頃と前記脇部は、肩甲骨近傍からシャツ後面下端中央部にかけて延設された高伸縮性素材からなる伸縮パーツを介して縫合すると共に、
前記袖上パーツと前記後身頃、及び、前記袖上パーツと前記前身頃は、肩甲骨近傍から肩の付け根部を通って胸部脇下近傍にかけて延設された前記伸縮パーツを介して夫々縫合し、さらに、前記袖上パーツと前記袖下部は、肩甲骨近傍又は胸部脇下近傍から袖口の上下方向中央部にかけて夫々延設された前記伸縮パーツを介して縫合した構成を採用した（第１の実施形態）。
【００２０】
本発明のゴルフシャツは、従来、スイングの際にひきつれが生じていた部位の挙動追従性を高めたので、アドレス、トップ、フィニッシュの姿勢においてもゴルファーの挙動に十分に追従する。よって、ゴルファーに与えていた圧迫感や窮屈感が軽減されるので、ゴルファーはスムーズにアドレス及びスイングを行うことができる。
【００２１】
本発明において、後身頃、側面パーツ、袖上パーツ、前身頃の間に介在させる伸縮パーツは、例えば、ポリウレタン混のニットやポリウレタン混の織物などからなる高伸縮性素材を使用することができる。伸縮パーツは、素材の種類や編み方または織り方について特に限定されるものではないが、後身頃、側面パーツ、袖上パーツ、前身頃などのシャツ本体に使用される例えば綿、ポリエステル、アクリル等の素材よりも伸縮性に富む素材を使用する。
【００２２】
上記本発明のゴルフシャツは、
前記側面パーツの脇下部に、前記伸縮パーツをさらに設けた構成とする方が、より望ましい（第２の実施形態）。
【００２３】
第２の実施形態では、側面パーツの脇下の位置に伸縮性に優れた伸縮パーツをさらに設けたので、例えばトップやフィニッシュの姿勢時に腕を大きく振り上げた場合でも、脇下の部分のつっぱり感は生じなくなる。
【００２４】
また、上記本発明のゴルフシャツは、
前記前身頃は、シャツの上下方向中央部付近が括れた形状とされ、
前記前身頃と前記脇部は、胸部脇下近傍からシャツ前面下端部にかけて、くの字状又は逆くの字状に延設された前記伸縮パーツを介して縫合した構成とする方が、さらに望ましい（第３の実施形態）。
【００２５】
第３の実施形態では、前身頃はシャツの上下方向中央部付近が括れた形状とし、袖上パーツは腕の外側から肩の付け根を覆う形状とし、側面パーツは脇部を備えた形状とすると共に、袖上パーツ／前身頃間と、前身頃／脇部間に、夫々伸縮パーツを設けたので、袖上パーツと前身頃の間の伸縮性と、前身頃と脇部の間の伸縮性が共に向上し、斜め方向に良く伸びるようになる。よって、前身頃においても斜め方向のひきつれは軽減され、生地のひきつれによる圧迫感を解消する効果がより好適となる。
【００２６】
以下、本発明を実施するための最良の形態を、添付図面を用いて具体的に説明する。図１〜図２は本実施例のゴルフシャツＳの説明図であり、図１は背中側から見た状態を、図２は正面側から見た状態を示している。
【００２７】
ゴルフシャツＳは、シャツ下端側が細幅とされた後身頃１と、脇部２ｂと袖下部２ａから構成される側面パーツ２と、腕の外側から肩の付け根を覆う袖上パーツ３と、前身頃４とを備えている。
【００２８】
後身頃１は、図１に示すように、襟６付近の上端から左右の肩甲骨近傍１０にかけて徐々に胴回り方向の幅が増加し、矢印Ａで示す左右の肩甲骨の位置において胴回り方向の幅が最大とされている。また、左右の肩甲骨近傍１０からシャツ下端にかけては徐々に胴回り方向の幅が減少し、シャツ下端における幅が最小とされている。
【００２９】
つまり、本実施例の後身頃１は、矢印Ａで示す左右の肩甲骨の位置における幅よりも矢印Ｂで示すシャツ下端側が細幅とされたもので、後身頃１の側縁部はシャツ下端側へ向けて先細りした形状とされている。
【００３０】
前身頃４は、図２に示すように、襟６付近の上端から矢印Ｃで示す胸部脇下近傍１３にかけては徐々に胴回り方向の幅が増加し、胸部脇下近傍１３から矢印Ｄで示すシャツの上下方向中央部付近にかけては徐々に胴回り方向の幅が減少する。そして、シャツの上下方向中央部付近から矢印Ｅで示すシャツ下端にかけては徐々に胴回り方向の幅が増加し、シャツ下端における幅が最大とされている。
【００３１】
つまり、本実施例の前身頃４は、矢印Ｄで示すシャツの上下方向中央部付近が括れた形状とされたもので、矢印Ｃ〜矢印Ｅの間の前身頃４の側縁部は「くの字状」又は「逆くの字状」とされている。なお、７は、襟６に設けたファスナーを示している。
【００３２】
ゴルフシャツＳの袖部は、図１及び図２に示すように、袖が襟ぐり付近まで切れ目なく続いているラグラン袖のようになっており、かつ、袖上パーツ３と袖下部２ａの２つのパーツで構成されている。袖上パーツ３は、腕の外側の部分から肩の付け根部までを覆うパーツである。
【００３３】
本実施例では、図１及び図２に示すように、袖部の下側を形成する袖下部２ａと身体の側面を覆う脇部２ｂは、連続した１枚の側面パーツ２で構成している。
【００３４】
上記のような形状とされた後身頃１と側面パーツ２、袖上パーツ３を縫製する際にその間隙部に挿入縫合する伸縮パーツ５ａ，５ｂ，５ｃや、前身頃４と側面パーツ２、袖上パーツ３を縫製する際にその間隙部に挿入縫合する伸縮パーツ５ｂ，５ｄ、５ｆは、何れも伸縮性良好なポリウレタン混のニットからなるパーツである。
【００３５】
つまり、本実施例のゴルフシャツＳは、
左右の肩甲骨の位置における幅よりもシャツ下端側が細幅とされた後身頃１と、脇部２ｂと袖下部２ａが連続した１枚のパーツとされた側面パーツ２と、腕の外側から肩の付け根部１２付近までを覆う袖上パーツ３と、前身頃４とを備え、
前記後身頃１と前記脇部２ｂは、肩甲骨近傍１０からシャツ後面下端中央部１１にかけて延設され、他のパーツよりも高伸縮性の素材からなる伸縮パーツ５ａを介して縫合すると共に、
前記袖上パーツ３と前記後身頃１、及び、前記袖上パーツ３と前記前身頃４は、肩甲骨近傍１０から肩の付け根部１２を通って胸部脇下近傍１３にかけて延設された伸縮パーツ５ｂを介して夫々縫合し、さらに、前記袖上パーツ３と前記袖下部２ａは、肩甲骨近傍１０又は胸部脇下近傍１３から袖口の上下方向中央部１４ａ，１４ｂにかけて夫々延設された伸縮パーツ５ｃ，５ｄを介して縫合したゴルフシャツである。
【００３６】
よって、本実施例のゴルフシャツＳでは、伸縮パーツ５ａ〜５ｄを設けたことにより、スイング時の身体のひねりや肩甲骨に対応する部分の膨らみに対し、極めて良好な追随性を示すことができる。
【００３７】
また、本実施例では、側面パーツ２の脇下部１５に、伸縮性良好なポリウレタン混のニットからなる伸縮パーツ５ｅをさらに設けている。よって、脇下の部分の伸縮性が良好となるので、トップやフィニッシュの姿勢において腕を大きく振り上げた場合でも、脇下の部分につっぱり感は生じない。
【００３８】
また、本実施例では、前身頃４はシャツの上下方向中央部付近が括れた形状とすると共に、前記前身頃４と前記脇部２ｂは、胸部脇下近傍１３からシャツ前面下端部１６にかけて、くの字状又は逆くの字状に延設された伸縮パーツ５ｆを介して縫合した構成としている。よって、伸縮パーツ５ｆをさらに設けたことにより、袖上パーツ３と前身頃４の間だけでなく、前身頃４と脇部２ｂの間についても伸縮性が良好となる。
【００３９】
伸縮パーツ５ａ〜５ｆの幅は、あまり細すぎる場合にはシャツのひきつれ等を防止する効果が小さくなってしまうが、伸縮パーツ５ａ〜５ｆ以外のパーツの伸縮性とのバランスやデザイン性も考慮の上、適宜決定すれば良い。本実施例では、伸縮パーツ５ａ〜５ｆの幅は約３〜５ｃｍ程度としている。
【００４０】
なお、前身頃４側に設ける伸縮パーツ５ｂ，５ｄ，５ｆよりも後身頃１側に設ける伸縮パーツ５ａ，５ｂ，５ｃの幅を若干太くすれば、後身頃１側のひきつれを重点的に改善できる。
【００４１】
また、後身頃１においても特に肩甲骨に対応した部分の伸縮性が求められるので、伸縮パーツ５ａ，５ｂ，５ｃが集まって三叉路状となっている肩甲骨近傍１０付近の伸縮パーツ５ａ，５ｂ，５ｃの幅は最も太くすることが好ましい。
【００４２】
図３は、本実施例のゴルフシャツＳの効果を説明する図であり、（ａ）は背中側、（ｂ）は正面側の説明図である。
【００４３】
本実施例では、後身頃１の肩甲骨近傍１０を中心に、シャツ後面下端中央部１１、肩の付け根部１２、袖口の上下方向中央部１４ａ，１４ｂの３方向に伸縮パーツ５ａ，５ｂ，５ｃが延びているので、肩甲骨近傍１０の生地が符号Ｆの矢印に示すとおり３方向に伸縮し易くなって、この部分に従来のゴルフシャツのようなひきつれが生じない。また、肩甲骨近傍１０の位置における矢印Ｇ１，Ｇ２に示す胴回り方向の伸縮性も良くなる。よって、アドレスの姿勢や身体を左右に大きくひねるトップやフィニッシュの姿勢をとっても、後身頃１の肩甲骨に対応する部分のつっぱり感や窮屈さを解消することができる。
【００４４】
また、本実施例のゴルフシャツＳは、袖上パーツ３と後身頃１の間と、後身頃１と脇部２ｂの間に、伸縮パーツ５ｂ，５ａを夫々設けたので、袖上パーツ３／後身頃１間と、後身頃１／脇部２ｂ間の伸縮性が共に向上し、矢印Ｈ１からＨ２、Ｈ３からＨ４の方向の伸縮性が良好となる。よって、スイング時に身体を左右に大きく捻って腕を振り上げても、後身頃１において従来のゴルフシャツのような斜め方向のひきつれは生じない。
【００４５】
くわえて、本実施例のゴルフシャツＳは、袖上パーツ３と前身頃４の間と、前身頃４と脇部２ｂの間に、伸縮パーツ５ｂ，５ｆを夫々設けたので、袖上パーツ３／前身頃４間の伸縮性と、前身頃４／脇部２ｂ間の伸縮性も共に向上し、矢印Ｈ５からＨ６、Ｈ７からＨ８の方向の伸縮性も良好となる。よって、前身頃４においても斜め方向のひきつれは生じない。
【００４６】
さらに、本実施例では、側面パーツ２の脇下部１５にも伸縮パーツ５ｅを設けたので、矢印Jの方向の伸縮性も良好となる。よって、トップやフィニッシュの姿勢において腕を大きく振り上げた場合でも、脇下部１５につっぱり感は生じない。
【００４７】
以上説明したように、本発明のゴルフシャツは、後身頃、側面パーツ、袖上パーツ、前身頃の間に高伸縮性の素材からなる伸縮パーツを縫合したので、スイング時に身体を左右に大きく捻って腕を振り上げても、斜め方向のひきつれや、肩甲骨に対応する部分のひきつれなどは生じず、ゴルファーのスイングの動きに追従することができる。したがって、本発明のゴルフシャツを着用した場合は、スイングのスムーズな動きを阻害することがなく、ゴルファーはプレーに集中できる。
【００４８】
本発明は、前記の実施例に限るものではなく、各請求項に記載の技術的思想の範囲内において、適宜実施の形態を変更しても良いことは言うまでもない。
【００４９】
例えば、前記の実施例では、半袖のゴルフシャツに適用する場合の例を開示したが、本発明は長袖のゴルフシャツにも適用できる。また、シャツのタイプは、例えばブルゾン、ポロシャツ、モックネックシャツ等でも良く、実施例のものに限定されない。
【００５０】
また、前記の実施例では、側面パーツ２を構成する袖下部２ａと脇部２ｂは連続した生地で構成する場合の例を開示したが、袖下部２ａと脇部２ｂの間に縫合部が存在しても良い。但し、袖下部２ａと脇部２ｂの間に縫合部が存在しない方が、脇下付近の伸縮性が良好となるので、本実施例の側面パーツ２のように構成する方がより望ましい。
【００５１】
また、前記の実施例では、伸縮パーツ５ａの部分は直線状とする例を開示したが、伸縮パーツ５ａは必ずしも直線状である必要はなく、Ｓ字状等の曲線によって形成されていても良い。
【００５２】
また、前記の実施例では、左右の伸縮パーツ５ａがシャツ後面下端中央部１１において分離している例を開示したが、伸縮パーツ５ａはシャツ後面下端中央部１１において合体したＶ字状としても良い。
【符号の説明】
【００５３】
Ｓ    ゴルフシャツ
１    後身頃
２    側面パーツ
２ａ  袖下部
２ｂ  脇部
３    袖上パーツ
４    前身頃
５ａ，５ｂ，５ｃ，５ｄ，５ｅ，５ｆ  伸縮パーツ
１０  肩甲骨近傍
１１  シャツ後面下端中央部
１２  肩の付け根部
１３  胸部脇下近傍
１４  袖口の上下方向中央部
１５  脇下部
１６  シャツ前面下端部
【図１】
0005150681.tif 000002
【図２】
0005150681.tif 000003
【図３】
0005150681.tif 000004
【図４】
0005150681.tif 000005
【図５】
0005150681.tif 000006
【図６】
0005150681.tif 000007
【図７】
0005150681.tif 000008
【図８】
0005150681.tif 000009